(57)【特許請求の範囲】
【請求項１】
容器の口部外側に打栓される打栓式の注出口と、この注出口を施蓋する蓋体と、これら蓋体と注出口とを揺動自在に連結するヒンジとを一体に設けた分別廃棄用キャップにおいて、注出口の側面に連結したヒンジの上部側面からヒンジの左右側面に沿って注出口の下端部近傍に至り、注出口の側面が略倒コ字形状に開口する弱化ラインを設け、この弱化ラインの両外側に、ヒンジよりも幅広に開口する弱化開口ラインを注出口の側面下端部から容器の口部上端位置まで形成したことを特徴とする分別廃棄用キャップ。
【請求項２】
前記弱化ラインと弱化開口ラインとが開口したときに、注出口の側面に、ヒンジと注出口の上端部とを連結する変形リングが形成される請求項１記載の分別廃棄用キャップ
【請求項３】
前記弱化開口ラインを、上部が広くなる逆ハの字形状を成すように形成した請求項１又は２記載の分別廃棄用キャップ。
【請求項４】
前記弱化開口ラインは、前記注出口の直径に対して注出口の側面が少なくとも65％以上の幅を開口するように設けた請求項１乃至３いずれか記載の分別廃棄用キャップ。
【発明の詳細な説明】
【０００１】
【発明の属する技術分野】
本発明は打栓式注出口として形成された合成樹脂製の分別廃棄用キャップに係り、使用後に容器からキャップを切り離し、容器とキャップを分別して廃棄できるようにした分別廃棄用キャップに関するものである。
【０００２】
【従来の技術】
打栓式注出口とは、容器の口部に打栓にて強固に固着された合成樹脂製の注出口を言い、この注出口に開閉自在に設けた蓋体で容器の開閉を行なう。
【０００３】
この種の打栓式注出口は、合成樹脂材で形成されているので、ガラス容器やペットボトルと分別廃棄するには、容器の口部に強固に固定された打栓式注出口を口部から取り外す必要がある。
【０００４】
そこで、このような分別廃棄を目的に開発された分別廃棄可能なキャップとして、実開平5-34151 号公報に記載されたキャップがある。このキャップは、容器に嵌合する打栓式注出口にヒンジを設け、このヒンジの上部連結部分に弱化線を形成すると共に、ヒンジの側面に沿って注出口側面の上端部から下端部にいたる弱化ラインを形成したものである。
【０００５】
また、同様の出願として、特開平8- 34462号公報に記載された分別廃棄可能なキャップが提案されている。この出願は、前者の弱化ラインを形成したキヤップを更に改良したものである。すなわち、打栓式注出口を容器口部に打栓する際に弱化ラインが破断するおそれを解消するため、弱化ラインを設ける部分を外側から覆って二重構造に形成している。そして、ヒンジの下端部から弱化ラインを切り離すようにすることで、ヒンジのみがちぎれることなく打栓式注出口を切り離せるようにしている。
【０００６】
【発明が解決しようとする課題】
このように、従来の分別廃棄用キャップは、容器口部からキャップを取り外しできるように開発されているが、キャップの取り外し作業をいかに簡単にできるかが、更に重要な課題として残されている。
【０００７】
打栓時の注出口が弱化ラインから損傷するおそれは、その後の研究により、注出口の厚みや強度を調整することで解消できることが明らかになっている。その一方で、注出口の一部を弱化ラインから切り離した後でも、容器の口部から注出口を取り外す作業が、未だに手間取ることが分ってきた。
【０００８】
すなわち、前述した従来の技術では、いずれもヒンジに沿って打栓式注出口の側面を切り離すものである。前者はヒンジの上端部から切り離し、後者はヒンジの下端部方向から切り離すという違いはあっても、打栓式注出口は、このヒンジの幅に沿って切り離されることに違いはない。すると、打栓式注出口の一部側面が確かに切り離されることになるが、切り離し部分がヒンジの幅と同程度になっているので、容器口部に残った打栓式注出口を取り外す作業は未だに難しい作業になっている。特に、非力な高齢者や女性等にとって、僅かに切り離された部分を手掛かりとして打栓式注出口を更に広げて取り外す作業は困難であり、何等かの道具を使用しなければ注出口を取り外すことができない者も少なくない。
【０００９】
しかも、打栓時の注出口が弱化ラインから損傷するおそれを解消するために、注出口の厚みを増したり、切り離し部分の強度を高めるほど、注出口を取り外す作業が一段と困難になる。
【００１０】
そこで、本発明は分別廃棄用のキャップにおいて、取り外し作業を容易に行えるように創出されたもので、注出口の一部側面を弱化ラインから切り離した後で容器の口部から注出口を極めて容易に取り外すことができる分別廃棄用キャップの提供を目的とするものである。
【００１１】
【課題を解決するための手段】
上述の課題を解消するため本発明の第１の手段は、容器Ｐの口部Ｐ１外側に打栓される打栓式の注出口１と、この注出口１を施蓋する蓋体２と、これら蓋体２と注出口１とを揺動自在に連結するヒンジ３とを一体に設けた分別廃棄用キャップにおいて、注出口１の側面に連結したヒンジ３の上部側面から、ヒンジ３の左右側面に沿って注出口１の下端部近傍に至り、注出口１の側面が倒コ字形状に開口する弱化ライン４を設け、この弱化ライン４の両外側に、ヒンジ３よりも幅広に開口する弱化開口ライン５を注出口１の側面下端部から容器Ｐの口部Ｐ１上端位置まで形成したことにある。
【００１２】
第２の手段は、弱化ライン４と弱化開口ライン５とが開口したときに、注出口１の側面に、ヒンジ３と注出口１の上端部とを連結する変形リングＬが形成される。
【００１３】
第３の手段は、弱化開口ライン５を、上部が広くなる逆ハの字形状を成すように形成する。
【００１４】
第４の手段は、弱化開口ライン５は、前記注出口１の直径に対して注出口１の側面が少なくとも65％以上の幅を開口するように設けたことを課題解消のための手段とする。
【００１５】
本発明によると、容器Ｐの口部Ｐ１外側に打栓された注出口１は、蓋体２をつかんでヒンジ３を押し下げることで、まず弱化ライン４が倒コ字状に開口する。次に、蓋体２を持ち上げると弱化開口ライン５が注出口１の下端部から広く開口して行き、容器Ｐの口部Ｐ１まで開口した後に、注出口１が口部Ｐ１から外れるものである。
【００１６】
【発明の実施の形態】
以下、図面に基いて本発明の実施の形態を説明する。
【００１７】
本発明キャップは、容器Ｐの口部Ｐ１外側に打栓される打栓式の注出口１と、この注出口１を施蓋する蓋体２と、これら蓋体２と注出口１とを揺動自在に連結するヒンジ３とを一体に設けた合成樹脂製のキャップである（図１参照）。
【００１８】
注出口１は、容器Ｐの口部Ｐ１上端部に打栓することで被着し、容器Ｐの収納物を注出する注口６を開口自在に設けている。そして、注出口１の側面にヒンジ３を一体に設け、後述する蓋体２で、注出口１を施蓋するものである。
【００１９】
蓋体２は、揺動自在なヒンジ３によって注出口１の側面に連結されている。更に、注出口１の開口部に周設した係止リング７に係合する係止部８を設けて注出口１を施蓋し、注口６の内部に嵌合する嵌合突起９を蓋体２の下面に突設して施蓋時に注口６を密封するものである（図３（イ）参照）。
【００２０】
ヒンジ３は、注出口１側面の口部Ｐ１近傍と、蓋体２側面の下端部とに一体に連結している（図１参照）。そして、このヒンジ３の周囲に沿った注出口１の側面に、この側面を開口する弱化ライン４を設けている。
【００２１】
弱化ライン４は、注出口１の側面に連結したヒンジ３の上部側面から、ヒンジ３の左右側面に沿って注出口１の下端部近傍に至るように設けたもので、注出口１の下端部までには至らない。図示の弱化ライン４は、ヒンジ３の上端部と係止リング７との境界部分に横向きの弱化ライン４を形成し、更に、ヒンジ３の左右側面から下方に延長して注出口１の下端部近傍に至り、注出口１の側面が倒コ字形状に開口する弱化ライン４を設けている（図２参照）。このような弱化ライン４によると、蓋体２をつかんでヒンジ３を下方に押し下げるだけで、弱化ライン４が上部から次第に切り離されて注出口１の側面が倒コ字形状に開口する（図３（イ）参照）。そして、弱化ライン４が注出口１の下端部近傍に近付いてから、今度は蓋体２を持ち上げることで弱化開口ライン５が続いて切り離されて行く。
【００２２】
弱化開口ライン５は、注出口１の側面下端部から容器Ｐの口部Ｐ１上端位置まで形成したもので、弱化ライン４の両外側に、ヒンジ３よりも幅広に開口するように設けている。この弱化開口ライン５を、上部が広くなる逆ハの字形状を成すように形成することで、容器Ｐの口部Ｐ１上端位置の開口部分をより広くすることができる。そして、口部Ｐ１に打栓した注出口１を取り外すには、注出口１の直径の半分以上を開口しなければ取り外し作業が困難になることが経験上明らかになっている。そこで、特に、非力な高齢者や女性等でも容易に取り外せるようにするために、試行したところ、少なくとも65％以上の幅を開口するように設ける必要があることが分った。このような弱化開口ライン５によると、注出口１の下端部から上方に切り離して行くと、注出口１の口部Ｐ１付近で開口部が最大になる（図３（ロ）参照）。
【００２３】
更に、そのまま蓋体２をつかんで上部に持ち上げるだけで注出口１が口部Ｐ１から外れるものである（図３（ハ）参照）。このとき、前述の弱化ライン４で切り離された部分とこの弱化開口ライン５によって切り離された部分とによって、ヒンジ３と注出口１の上端部とを連結する変形リングＬが形成されることになる。この変形リングＬは、ヒンジ３を持ち上げる力を口部Ｐ１付近に広く伝える働きをすると共に、変形リングＬが注出口１側面に連続する部分が二箇所の作用点となるので、容器Ｐの口部Ｐ１に強固に固着された注出口１でも、極めて楽に取り外すことができるものである。
【００２４】
【発明の効果】
本発明は上述の如く構成したことにより当初の目的を達成した。
【００２５】
すなわち、容器Ｐの口部Ｐ１外側に打栓される打栓式の注出口１と、この注出口１を施蓋する蓋体２と、これら蓋体２と注出口１とを揺動自在に連結するヒンジ３とを一体に設けた分別廃棄用キャップにおいて、注出口１の側面に連結したヒンジ３の上部側面から、ヒンジ３の左右側面に沿って注出口１の下端部近傍に至り、注出口１の側面が倒コ字形状に開口する弱化ライン４を設け、この弱化ライン４の両外側に、ヒンジ３よりも幅広に開口する弱化開口ライン５を注出口１の側面下端部から容器Ｐの口部Ｐ１上端位置まで形成したことにより、注出口１の一部側面を弱化ライン４から幅広く切り離すことができ、容器Ｐの口部Ｐ１から注出口１を極めて容易に取り外すことができる。
【００２６】
しかも、弱化ライン４と弱化開口ライン５とが開口したときに、注出口１の側面に、ヒンジ３と注出口１の上端部とを連結する変形リングＬが形成されることにより、蓋体２を持ちあげる力を、この変形リングＬが注出口１の開口部位に広く伝えることができ、非力な高齢者や女性等でも道具を使用せずに簡単に取り外すことが可能になった。
【００２７】
また、弱化開口ライン５を、上部が広くなる逆ハの字形状を成すように形成しているから、弱化開口ライン５に沿って次第に幅広く開口させることができる。この結果、注出口１の除去作業を容易にするだけでなく、注出口の厚みを増したり、切り離し部分の強度を高めても、弱化開口ライン５の開口作業が容易に行うことができ、打栓時の注出口が弱化ラインから損傷するおそれもない。
【００２８】
更に、弱化開口ライン５は、前記注出口１の直径に対して注出口１の側面が少なくとも最大65％以上に開口するように設けているので、注出口１の材質や厚み等に変更があっても、注出口１を確実に取り外すことが可能である。
【００２９】
このように、本発明によると、打栓時の注出口が弱化ラインから損傷するおそれがなく、注出口の一部を弱化ラインから切り離した後で、容器の口部から注出口を極めて容易に取り外すことができるといった効果を奏するものである。
【図面の簡単な説明】
【図１】本発明キャップにおける施蓋状態を示す斜視図である。
【図２】本発明キャップにおける弱化ラインと弱化開口ラインを示す一部切欠き斜視図である。
【図３】本発明キャップにおいて注出口を取り外す工程を示す斜視図である。
【符号の説明】
Ｐ  容器            Ｐ１  口部
１  注出口
２  蓋体
３  ヒンジ
４  弱化ライン
５  弱化開口ライン
６  注口
７  係止リング
８  係止部
９  嵌合突起
【図１】
0003641821.tif 000002
【図２】
0003641821.tif 000003
【図３】
0003641821.tif 000004